(57)【要約】【課題】壁体の内外に亙って電線や配管を配設する際、外部から浸入する水に対する止水効果を確保したまま壁体に対するスリーブの取付作業を格段と容易にすることができる。【解決手段】外壁板材１と側板材３との貫通孔１ａ，３ａ間に配設されるスリーブ５が、筒状体のスリーブ本体５１と、その側板材３側の端部に側板材３に向かって突設され、貫通孔３ａを介して側板材３の裏面に係止される爪部５２と、スリーブ本体５１の側板材３側の端部に、当該スリーブ本体５１の径方向外方に向けて張り出した環状の鍔部５３と、を有しており、側板材３の表面側に配設された防水シート８と鍔部５３との間には、側板材３の貫通孔３ａおよび防水シート８の貫通孔８ａに対応してスリーブ本体５１を挿通可能な孔部１４ａを有し、鍔部５３によって押圧保持される止水材１４が設けられている。【選択図】図１
2014077314.tif 000002
【特許請求の範囲】
【請求項１】
少なくとも一対の板材を有し、これら一対の板材を側板材として両側面に配設してなる壁本体と、前記側板材のうち前記壁本体の外側面に配置された一方の側板材に取り付けられる外壁板材と、を有する壁体の壁厚方向における一部乃至全部を貫通して形成された貫通孔に配設されるスリーブの配設構造において、
前記外壁板材の裏面側であって前記一方の側板材の外側面側に、当該側板材の貫通孔に対応する貫通孔を有する防水層が配設されており、
前記スリーブは、
筒状体からなるスリーブ本体と、
前記スリーブ本体における前記防水層近傍の位置に設けられ、当該防水層側に向けて押圧可能な押圧部と、
前記スリーブ本体から突出して設けられ、前記貫通孔が形成された前記壁本体のいずれかの板材の内側面に当該貫通孔を介して係止される爪部と、を有しており、
前記防水層と前記押圧部との間には、前記一方の側板材の貫通孔および前記防水層の貫通孔に対応して前記スリーブ本体を挿通可能な孔部を有し、前記押圧部によって押圧保持される止水材が設けられていることを特徴とするスリーブの配設構造。
【請求項２】
請求項１に記載のスリーブの配設構造において、
前記押圧部は、
前記スリーブ本体の径方向外方に向けて張り出し、前記スリーブ本体の外径よりも大きく、且つ、前記外壁板材の貫通孔の口径以下の外径に設定された環状をなしていることを特徴とするスリーブの配設構造。
【請求項３】
請求項１または２に記載のスリーブの配設構造において、
前記スリーブは、前記止水材を取り付ける際に当該止水材を一時的に係合保持するための着脱自在な治具を有しており、
前記治具は、
前記爪部が係合される係合部と、
前記止水材を保持するための保持部と、を備えていることを特徴とするスリーブの配設構造。
【請求項４】
請求項１〜３のいずれか一項に記載のスリーブの配設構造において、
前記止水材は、前記防水層と当接する側に接着部が設けられていることを特徴とするスリーブの配設構造。
【請求項５】
請求項１〜４のいずれか一項に記載のスリーブの配設構造において、
前記爪部は、先端部が前記スリーブ本体の外周側に向けて折曲形成されると共に、前記スリーブ本体の外周側に向けて付勢される弾性を有していることを特徴とするスリーブの配設構造。
【請求項６】
請求項１〜５のいずれか一項に記載のスリーブの配設構造を用いたスリーブの配設方法において、
前記壁体の前記外壁板材に貫通孔を貫通形成し、
前記壁体の前記一方の側板材の外側面側に配設された前記防水層における前記外壁板材の貫通孔と対向する位置に、当該外壁板材の貫通孔を介して前記止水材を配設し、
当該配設した止水材の前記孔部に対応する貫通孔を前記防水層および前記一方の側板材に順次貫通形成することを特徴とするスリーブの配設方法。
【請求項７】
請求項１〜５のいずれか一項に記載のスリーブの配設構造を用いた請求項６に記載のスリーブの配設方法において、
前記スリーブの前記爪部を、前記止水材の前記孔部を介して前記一方の側板材の貫通孔に挿通させ、当該爪部を前記一方の側板材の内側面に係止させることにより、前記押圧部によって前記止水材を押圧保持しながら前記スリーブを装着することを特徴とするスリーブの配設方法。
【請求項８】
請求項６または７に記載のスリーブの配設方法において、
前記スリーブの前記爪部が係合される係合部と、前記止水材を保持するための保持部と、を備え、前記止水材を前記貫通孔に配設する際に当該止水材を一時的に係合保持するための着脱自在な治具を前記スリーブに装着し、
当該治具の前記保持部によって前記止水材を保持した状態で、前記外壁板材の貫通孔を介して前記防水層における当該外壁板材の貫通孔と対向する位置に当該止水材を配置し、
当該位置において、前記止水材の前記防水層と当接する側に設けられた接着部を介して当該止水材を前記防水層に貼着して配設した後、前記スリーブを前記貫通孔から取り出して前記治具を取り外すことを特徴とするスリーブの配設方法。
【発明の詳細な説明】
【技術分野】
【０００１】
本発明は、スリーブの配設構造および配設方法に関する。
【背景技術】
【０００２】
住宅等の建物の内外に亙ってエアコン等の各種電気製品の電線類や、ガス給湯器のガス配管等の各種配管等を配線・配管するために、スリーブを介して行うことが一般的である。そして、このとき使用されるスリーブの配設構造として、建物の内外を画成する外壁を形成する際に、この外壁に予め埋設しておく構造が知られている（例えば、特許文献１参照）。
かかる特許文献１におけるスリーブの配設構造では、外壁となるコンクリート壁体を貫通するように埋設された円筒状のスリーブ主体の外周面に、円周方向に沿って環状の止水鍔を一体に設け、コンクリート壁体の外側からスリーブ主体外周面とコンクリート壁体との間隙を通して浸入する雨水等を当該止水鍔で阻止し、雨水等が室内側に浸入するのを防止するようにしていた。
【先行技術文献】
【特許文献】
【０００３】
【特許文献１】特開平１０−１６００５４号公報
【発明の概要】
【発明が解決しようとする課題】
【０００４】
ところが、特許文献１のようなスリーブの配設構造の場合、外壁の外側から浸入する水に対する止水効果は期待できるものの、外壁を形成する際に当該スリーブを埋設していることから、外壁形成後にスリーブの位置を変更することができなかった。
従って、外壁の形成時に当該外壁に対するスリーブの取付位置を位置決めしておく等の段取りが必要となり、且つ、この段取りは正確に行わなければならないため、スリーブの取付作業が煩雑となっていた。
このため、建物の内外に亙って配線・配管を行うためのスリーブを配設するに際し、外部から浸入する水に対する止水効果は確保したまま、外壁に対するスリーブの取付作業を容易にすることができ、また外壁形成後でも当該外壁に対するスリーブの取付位置を自由に設定して後付けすることができるスリーブの配設構造の開発が望まれていた。
【０００５】
そこで、本発明は上述した事情に鑑みてなされたもので、外部から浸入する水に対する止水効果を確保したまま、壁体に対するスリーブの取付作業を容易にすることができ、また壁体形成後でも当該壁体に対するスリーブの取付位置を自由に設定して後付けすることが可能なスリーブの配設構造および配設方法を実現することを目的とする。
【課題を解決するための手段】
【０００６】
請求項１に記載の発明は、例えば図１〜図３、図９，図１１および図１４に示すように、少なくとも一対の板材を有し、これら一対の板材を側板材３，６として両側面に配設してなる壁本体２と、前記側板材３，６のうち前記壁本体２の外側面に配置された一方の側板材３に取り付けられる外壁板材１と、を有する壁体４の壁厚方向における一部（例えば、外壁板材１および側板材３）乃至全部（例えば、外壁板材１から内壁７に至るまで）を貫通して形成された貫通孔（例えば、貫通孔１ａ，３ａ）に配設されるスリーブの配設構造において、
前記外壁板材１の裏面側であって前記一方の側板材３の外側面側（すなわち、表面側）に、当該側板材３の貫通孔３ａに対応する貫通孔８ａを有する防水層（防水シート８）が配設されており、
前記スリーブ５は、
筒状体（すなわち、長手方向の両端部に開口部５ａ，５ｂを有する）からなるスリーブ本体５１と、
前記スリーブ本体５１における前記防水層（防水シート８）近傍の位置に設けられ、当該防水層（防水シート８）側に向けて押圧可能な押圧部（鍔部５３）と、
前記スリーブ本体５１から突出して設けられ、前記貫通孔（例えば、貫通孔３ａ，６ａ，７ａ）が形成された前記壁本体２のいずれかの板材（例えば、側板材３，６や内壁７）の内側面に当該貫通孔（貫通孔３ａ，６ａ，７ａ）を介して係止される爪部（例えば、爪部５２，５２ａ，５２ｂ）と、を有しており、
前記防水層（防水シート８）と前記押圧部（鍔部５３）との間には、前記一方の側板材３の貫通孔３ａおよび前記防水層（防水シート８）の貫通孔８ａに対応し、前記スリーブ本体５１を挿通可能な孔部１４ａを有し、前記押圧部（鍔部５３）によって押圧保持される止水材１４が設けられていることを特徴とする。
【０００７】
請求項１に記載の発明によれば、壁体４の壁厚方向における一部乃至全部を貫通して形成された貫通孔に配設されるスリーブ５（すなわち、例えば外壁板材１と、この外壁板材１が取り付けられる壁本体２の外側面を構成する側板材３と、を有する壁体４のそれぞれに貫通形成された貫通孔１ａ，３ａ間に配設されるスリーブ５）が、長手方向の両端部に開口部５ａ，５ｂを有する筒状体からなるスリーブ本体５１と、スリーブ本体５１における防水シート８近傍の位置に設けられ、当該防水シート８側に向けて押圧可能な鍔部５３と、スリーブ本体５１から突出して設けられ、貫通孔（例えば、貫通孔３ａ，６ａ，７ａ）が形成された前記壁本体２のいずれかの板材（例えば、側板材３，６や内壁７）の内側面に当該貫通孔（貫通孔３ａ，６ａ，７ａ）を介して係止される爪部（例えば、爪部５２，５２ａ，５２ｂ）と、を有している。換言すれば、爪部５２（５２ａ，５２ｂ）は、スリーブ本体５１の壁本体２側（開口部５ａ側）の端部およびまたは当該端部（開口部５ａ側の端部）と前記押圧部（鍔部５３）との間における前記スリーブ本体５１の外周上に設けられ、前記貫通孔（例えば、貫通孔３ａ，６ａ，７ａ）が形成された前記壁本体２のいずれかの板材（例えば、側板材３，６や壁体４の内部側（すなわち、当該壁本体２の内側面である内壁７）を含む）の内側面（内壁７については表面）に当該貫通孔（貫通孔３ａ，６ａ，７ａ）を介して係止されるようになっている。
そして、防水シート８と鍔部５３との間には、一方の側板材３の貫通孔３ａおよび防水シート８の貫通孔８ａに対応し、スリーブ本体５１を挿通可能な孔部１４ａ（換言すれば、防水シート８と鍔部５３との間には、側板材３側の端部の開口部５ａと側板材３の貫通孔３ａとを、防水シート８の貫通孔８ａを介して連通する孔部１４ａ）を有し、鍔部５３によって押圧保持される止水材１４が設けられているので、スリーブ５を貫通孔３ａに挿入するだけで爪部５２が側板材３の内側面（裏面）に係止されるため、当該スリーブ５を容易に取り付けることができる。
【０００８】
このとき、スリーブ５は、壁本体２に外壁板材１が取り付けられた（換言すれば、壁体４が形成された）後に貫通形成される貫通孔（例えば、貫通孔１ａ，３ａ間）に配置される。よって、外壁板材１を壁本体２に取り付ける壁体４の形成時に、当該壁体４に対するスリーブ５の位置決め等の段取りを正確に行う必要がない分、従来に比して、スリーブ５の取付作業を格段と容易にすることができる。
また、スリーブ５と側板材３との間には、防水シート８と止水材１４とが介在され、これら防水シート８と止水材１４とがスリーブ５の取り付けに際し、鍔部５３によって押圧保持されるため、外部から浸入する水に対する止水効果を十分に確保することができる。
【０００９】
かくして、外部から浸入する水に対する止水効果を確保したまま、壁体４に対するスリーブ５の取付作業を容易にすることができ、また壁体４の形成後でも当該壁体４に対するスリーブ５の取付位置を自由に設定して後付けすることが可能なスリーブの配設構造を実現することができる。
【００１０】
しかも、スリーブ５は、壁体４の形成後に任意に設けた貫通孔１ａ，３ａ間に配設するので、必要に応じて所望する位置にスリーブ５を配設することができる。換言すれば、壁体４の形成時に予めスリーブ５を設ける必要がないので、建物の建築現場において、必要な位置にスリーブ５を配設することができる自由度が増し、これによって、スリーブ５の配設位置の変更も生じる可能性も格段と低減させることができる。仮に、スリーブ５の配設位置を変更するような場合であっても、壁体４（外壁板材１、側板材３，６、内壁７）における所望の位置に貫通孔１ａ，３ａ，６ａ，７ａを貫設すれば良いため、スリーブ５の配設位置を容易に変更することも可能である。
【００１１】
さらに、止水材１４の孔部１４ａは、スリーブ本体５１の側板材３側の端部の開口部５ａと側板材３の貫通孔３ａとを、防水シート８の貫通孔８ａを介して連通するように形成されているので、スリーブ５の開口部５ａをそのまま利用して電源コードＣを挿通させることができる。
【００１２】
請求項２に記載の発明は、例えば図３に示すように、請求項１に記載のスリーブの配設構造において、
前記押圧部（鍔部５３）は、
前記スリーブ本体５１の径方向外方に向けて張り出し、前記スリーブ本体５１の外径よりも大きく、且つ、前記外壁板材１の貫通孔１ａの口径以下の外径に設定された環状をなしていることを特徴とする。
【００１３】
請求項２に記載の発明によれば、スリーブ本体５１における防水シート８近傍の位置に設けられ、当該防水シート８側に向けて押圧可能な鍔部５３を、スリーブ本体５１の径方向外方に向けて張り出し、スリーブ本体５１の外径よりも大きく、且つ、外壁板材１の貫通孔１ａの口径以下の外径に設定された環状をなして形成することで、当該鍔部５３と防水シート８との間に介在される止水材１４を全体に亙って確実に押圧することができるため、外部から浸入する水に対する止水効果を十分に確保することができる。
【００１４】
請求項３に記載の発明は、例えば図４，図７〜図９に示すように、請求項１または２に記載のスリーブの配設構造において、
前記スリーブ５は、前記止水材１４を取り付ける際に当該止水材１４を一時的に係合保持するための着脱自在な治具２０を有しており、
前記治具２０は、
前記爪部５２が係合される係合部２１と、
前記止水材１４を保持するための保持部２２と、を備えていることを特徴とする。
【００１５】
請求項３に記載の発明によれば、スリーブ５は、止水材１４を取り付ける際に当該止水材１４を一時的に係合保持するために、着脱自在な治具２０を有しており、当該治具２０は、爪部５２が係合される係合部２１と、止水材１４を保持するための保持部２２と、を備えているので、係合部２１に爪部５２が係合されることによって、スリーブ５に対して着脱自在に係合させることができると共に、保持部２２によって止水材１４を一時的に保持することができるため、止水材１４の取付作業を一段と簡易に行うことができる。
また、このようなスリーブ５と治具２０とを一つにまとめたセットとして工場から出荷することができるため、建設現場にてわざわざ治具２０を探し出す手間を省くことができ、そのままスリーブ５の配設作業を行うことができる利点をも有している。このとき、スリーブ５と治具２０とがセットになっているので、部材管理も容易となる利点も兼ね備えている。
【００１６】
請求項４に記載の発明は、請求項１〜３のいずれか一項に記載のスリーブの配設構造において、
前記止水材１４は、前記防水層（防水シート８）と当接する側に接着部１５が設けられていることを特徴とする。
【００１７】
請求項４に記載の発明によれば、止水材１４は、防水シート８と当接する側に接着部１５が設けられているので、止水材１４を配設する際に当該止水材１４を接着部１５によって防水シート８に貼着することができるため、防水シート８に対し簡単に配設することができる。
【００１８】
請求項５に記載の発明は、例えば図３に示すように、請求項１〜４のいずれか一項に記載のスリーブの配設構造において、
前記爪部５２は、先端部が前記スリーブ本体５１の外周側に向けて折曲形成されると共に、前記スリーブ本体５１の外周側に向けて付勢される弾性を有していることを特徴とする。
【００１９】
請求項５に記載の発明によれば、爪部５２は、先端部がスリーブ本体５１の外周側に向けて折曲形成されると共に、スリーブ本体５１の外周側に向けて付勢される弾性を有しているので、スリーブ５を側板材３（側板材６や内壁７）の貫通孔３ａ（６ａ，７ａ）に取り付ける際に、爪部５２の先端部が貫通孔３ａ（６ａ，７ａ）にガイドされながらスリーブ本体５１の内周側に向けて変形し、当該貫通孔３ａ（６ａ，７ａ）を挿通すると、変形していた先端部がスリーブ本体５１の外周側に向けて付勢されて、側板材３の裏面に係止される。このため、スリーブ５はビス止め等を行わなくても、貫通孔３ａ（６ａ，７ａ）に挿入するだけで、簡単に取り付けることができ、側板材３（側板材６や内壁７）の貫通孔３ａ（６ａ，７ａ）に対して十分に固定されるようになっている。
【００２０】
請求項６に記載の発明は、例えば図５〜図１１に示すように、請求項１〜５のいずれか一項に記載のスリーブの配設構造を用いたスリーブの配設方法において、
前記壁体４の前記外壁板材１に貫通孔１ａを貫通形成し、
前記壁体４の前記側板材３の外側面側（すなわち、表面）に配設された前記防水層（防水シート８）における前記外壁板材１の貫通孔１ａと対向する位置に、当該外壁板材１の貫通孔１ａを介して前記止水材１４を配設し、
当該配設した止水材１４の前記孔部１４ａに対応する貫通孔８ａ，３ａを前記防水層（防水シート８）および前記側板材３に順次貫通形成することを特徴とする。
【００２１】
請求項６に記載の発明によれば、壁体４の外壁板材１に貫通孔１ａを貫通形成し、壁体４の側板材３の外側面側（表面側）に配設された防水シート８における外壁板材１の貫通孔１ａと対向する位置に、当該外壁板材１の貫通孔１ａを介して止水材１４を配設する。次いで、当該配設した止水材１４の孔部１４ａに対応する貫通孔８ａ，３ａを防水シート８および側板材３に順次貫通形成する。すなわち、止水材１４を防水シート８に配設した後、側板材３に貫通孔３ａを設けるようにしたので、防水シート８に対する貫通孔８ａの貫設作業によって、当該防水シート８が必要以上に破れたり、捩れたりすることを未然に回避することができる。
【００２２】
請求項７に記載の発明は、例えば図１２および図１３に示すように、請求項１〜５のいずれか一項に記載のスリーブの配設構造を用いた請求項６に記載のスリーブの配設方法において、
前記スリーブ５の前記爪部５２を、前記止水材１４の前記孔部１４ａを介して前記一方の側板材３の貫通孔３ａに挿通させ、当該爪部５２を前記一方の側板材３の裏面に係止させることにより、前記押圧部（鍔部５３）によって前記止水材１４を押圧保持しながら前記スリーブ５を装着することを特徴とする。
【００２３】
請求項７に記載の発明によれば、止水材１４の孔部１４ａを介して側板材３の貫通孔３ａにスリーブ５の爪部５２を挿通させ、当該爪部５２を側板材３の裏面に係止させることにより、鍔部５３によって止水材１４を押圧保持しながらスリーブ５を装着する。これにより、スリーブ５を貫通孔３ａに挿入するだけで爪部５２が側板材３の裏面に係止されるため、当該スリーブ５を容易に取り付けることができる。
このとき、スリーブ５は、壁本体２に外壁板材１が取り付けられた（換言すれば、壁体４が形成された）後に貫通形成される貫通孔１ａ，３ａ間に配置される。よって、外壁板材１を壁本体２に取り付ける壁体４の形成時に、当該壁体４に対するスリーブ５の位置決め等の段取りを正確に行う必要がない分、従来に比して、スリーブ５の取付作業を格段と容易にすることができる。
また、スリーブ５と側板材３との間には、防水シート８と止水材１４とが介在され、これら防水シート８と止水材１４とがスリーブ５の取り付けに際し、鍔部５３によって押圧保持されるため、外部から浸入する水に対する止水効果を十分に確保することができる。
かくして、外部から浸入する水に対する止水効果を確保したまま、壁体４に対するスリーブ５の取付作業を容易にすることができ、また壁体４の形成後でも当該壁体４に対するスリーブ５の取付位置を自由に設定して後付けすることが可能なスリーブの配設方法を実現することができる。
しかも、スリーブ５は、壁体４の形成後に任意に設けた貫通孔１ａ，３ａ間に配設するので、必要に応じて所望する位置にスリーブ５を配設することができる。換言すれば、壁体４の形成時に予めスリーブ５を設ける必要がないので、建物の建築現場において、必要な位置にスリーブ５を配設することができる自由度が増し、これによって、スリーブ５の配設位置の変更も生じる可能性も格段と低減させることができる。仮に、スリーブ５の配設位置を変更するような場合であっても、壁体４（外壁板材１、側板材３，６、内壁７）における所望の位置に貫通孔１ａ，３ａ，６ａ，７ａを貫設すれば良いため、スリーブ５の配設位置を容易に変更することも可能である。
さらに、側板材３の貫通孔３ａは、止水材１４の孔部１４ａおよび防水シート８の貫通孔８ａを介してスリーブ本体５１の側板材３側の端部の開口部５ａと連通するように形成されるので、スリーブ５の開口部５ａをそのまま利用して電源コードＣを挿通させることができる。
【００２４】
請求項８に記載の発明は、請求項６または７に記載のスリーブの配設方法において、前記スリーブ５の前記爪部５２が係合される係合部２１と、前記止水材１４を保持するための保持部２２と、を備え、前記止水材１４を前記貫通孔（例えば、貫通孔１ａ，３ａ間）に配設する際に当該止水材１４を一時的に係合保持するための着脱自在な治具２０を前記スリーブ５に装着し、
当該治具２０の前記保持部２２によって前記止水材１４を保持した状態で、前記外壁板材１の貫通孔１ａを介して前記防水層（防水シート８）における当該外壁板材１の貫通孔１ａと対向する位置に当該止水材１４を配置し、
当該位置において、前記止水材１４の前記防水層（防水シート８）と当接する側に設けられた接着部１５を介して当該止水材１４を前記防水層（防水シート８）に貼着して配設した後、前記スリーブ５を前記貫通孔１ａから取り出して前記治具２０を取り外すことを特徴とする。
【００２５】
請求項８によれば、スリーブ５の爪部５２が係合される係合部２１と、止水材１４を保持するための保持部２２と、を備え、止水材１４を貫通孔１ａ，３ａ間に配設する際に当該止水材１４を一時的に係合保持するための着脱自在な治具２０をスリーブ５に装着し、当該治具２０の保持部２２によって止水材１４を保持した状態で、外壁板材１の貫通孔１ａを介して防水シート８における当該外壁板材１の貫通孔１ａと対向する位置に当該止水材１４を配置する。そして、当該位置において、止水材１４の防水シート８と当接する側に設けられた接着部１５を介して当該止水材１４を防水シート８に貼着して配設した後、スリーブ５を貫通孔１ａから取り出して治具２０を取り外す。このため、係合部２１に爪部５２が係合されることによって、治具２０をスリーブ５に対して着脱自在に係合させることができ、保持部２２によって止水材１４を一時的に保持することができるため、止水材１４の取付作業を一段と簡易に行うことができる。
このとき、止水材１４は、防水シート８と当接する側に接着部１５が設けられているので、止水材１４を配設する際に当該止水材１４を接着部１５によって防水シート８上に貼着することができるため、防水シート８に対し簡単に配設することができる。
【発明の効果】
【００２６】
本発明によれば、外部から浸入する水に対する止水効果を確保したまま、壁体に対するスリーブの取付作業を容易にすることができ、また壁体形成後でも当該壁体に対するスリーブの取付位置を自由に設定して後付けすることが可能なスリーブの配設構造および配設方法を実現することができる。
【図面の簡単な説明】
【００２７】
【図１】本発明の一実施形態におけるスリーブの配設構造を示す断面図である。
【図２】図１のスリーブの配設構造を正面から見て示す正面図である。
【図３】図１のスリーブの外観を示す概略図であり、（ａ）は側面図、（ｂ）は正面図、（ｃ）は前方から見た斜視図、（ｄ）は後方から見た斜視図である。
【図４】図１のスリーブに対し治具を装着する様子を示す斜視図であり、（ａ）はスリーブの爪部を治具に挿入する様子示す斜視図、（ｂ）はスリーブの爪部が挿入された治具を回転して装着する様子を示す斜視図である。
【図５】本発明のスリーブの配設方法の説明に供する図であり、（ａ）は外壁板材に貫通孔を形成する様子を示す断面図、（ｂ）はその斜視図である。
【図６】本発明のスリーブの配設方法の説明に供する図であり、（ａ）は外壁板材に貫通孔が形成された状態を示す断面図、（ｂ）はその斜視図である。
【図７】本発明のスリーブの配設方法の説明に供する図であり、（ａ）は外壁板材の貫通孔を介して止水材を配設する様子を示す断面図、（ｂ）はその斜視図である。
【図８】本発明のスリーブの配設方法の説明に供する図であり、（ａ）は外壁板材の貫通孔を介して止水材を配設する様子を示す断面図、（ｂ）はその斜視図である。
【図９】本発明のスリーブの配設方法の説明に供する図であり、（ａ）は止水材を配設した後、スリーブを取り出す様子を示す断面図、（ｂ）はその斜視図である。
【図１０】本発明のスリーブの配設方法の説明に供する図であり、（ａ）は止水材の孔部を介して側板材に貫通孔を形成する様子を示す断面図、（ｂ）はその斜視図である。
【図１１】本発明のスリーブの配設方法の説明に供する図であり、（ａ）は側板材に貫通孔が形成された状態を示す断面図、（ｂ）はその斜視図である。
【図１２】本発明のスリーブの配設方法の説明に供する図であり、（ａ）は側板材の貫通孔にスリーブを取り付ける様子を示す断面図、（ｂ）はその斜視図である。
【図１３】本発明のスリーブの配設方法の説明に供する図であり、（ａ）は側板材の貫通孔にスリーブを取り付けた状態を示す断面図、（ｂ）はその斜視図である。
【図１４】本発明の他の実施形態におけるスリーブの配設構造を示す断面図である。
【発明を実施するための形態】
【００２８】
以下、本発明の一実施形態について図面を参照しながら詳細に説明する。
図１は、本発明のスリーブの配設構造を示す断面図であり、図２は、図１のスリーブの配設構造を正面から見て示す正面図である。図３は、図１のスリーブの外観を示す概略図であり、（ａ）は側面図、（ｂ）は正面図、（ｃ）は前方から見た斜視図、（ｄ）は後方から見た斜視図である。図４は、図１のスリーブに対し治具を装着する様子を示す斜視図であり、（ａ）はスリーブの爪部を治具に挿入する様子示す斜視図、（ｂ）はスリーブの爪部が挿入された治具を回転して装着する様子を示す斜視図である。
【００２９】
まず、本実施形態のスリーブの配設構造について、図１〜図３を参照しながら説明する。
図１および図２に示すように、本実施形態におけるスリーブの配設構造は、クラスティング等の外壁板材１と、この外壁板材１が取り付けられる壁本体２の外側面を構成する側板材３と、を有する壁体４のそれぞれ（外壁板材１および側板材３）に貫通形成された貫通孔１ａ，３ａ間にスリーブ５が配設されている。そして、当該スリーブ５に各種電気製品（例えば、エアコンの室外機）の電線類（ここでは、電源コードＣ）等を挿通させることにより、壁体４の外部から側板材３の内側に亙って、電源コードＣを配線するようになっている。なお、ここでは、スリーブ５を用いて各種電気製品の電線（電源コードＣ）を配線する場合について述べるが、一例であってこれに限らず、この他、種々の電線類をはじめ、ガス給湯器のガス配管等の各種配管等を、スリーブ５を介して建物の内外に亙って配設する場合に広く適用できることは言うまでもない。
【００３０】
また、スリーブ５の取り付けに関する詳細は後述するが、かかるスリーブ５は側板材３の貫通孔３ａに取り付けられた状態において、外壁板材１の表面から突出しないように、側板材３の貫通孔３ａに取り付けられる前に、予め現場にて外壁板材１の壁厚に応じてカットされることにより、別途、寸法合わせする手間を省き、ジャストサイズで配設できるようになっており、見映えを損なうことがないように配慮されている。
なお、スリーブ５の外壁板材１の壁厚寸法に合わせたカットは、側板材３の貫通孔３ａにスリーブ５を取り付けた状態において、外壁板材１の表面から突出した部分をカットするようにしても良い。
【００３１】
ここで、壁体４は、図示省略する住宅等の建物の内外を画成する外壁であって、建物内側となる壁本体２の内側面を構成する側板材６の内側面側（すなわち、表面側）には、石膏ボード等からなる内壁７が配設されている。また、壁体４の最外部となる外壁板材１の裏面側であって壁本体２の外側面を構成する側板材３の外側面側（すなわち、表面側）には、側板材３の貫通孔３ａに対応する貫通孔８ａ（後述する図１１（ａ）参照）を有する防水層としての防水シート８が配設されている。この防水シート８と外壁板材１との間には通気層９が介在されており、外側の側板材３と内側の側板材６との間には断熱材が介在されている。
【００３２】
つまり、建物の外壁を構成する壁体４は、少なくとも一対の板材を有し、これら一対の板材を側板材３，６として両側面に配設してなる壁本体２と、これら側板材３，６のうち壁本体２の外側面に配置された一方の側板材３に取り付けられる外壁板材１と、を有しており、外側面側から内側面側に向けて外壁板材１，通気層９，防水シート８，外側の側板材３，断熱材１０，内側の側板材６，内壁７が、順次隣接して対向配置された積層構造となっている。なお、防水シート８は、建物内の湿気は発散するが外部から雨水などの水が浸入するのを防止する透湿防水性素材であることが好ましい。また、通気層９は必ずしも配設されるとは限らない。
【００３３】
また、本実施形態の場合、外壁板材１の貫通孔１ａとスリーブ５との間においては、側板材３側にバックアップ材１１が配設され、当該バックアップ材１１から外壁板材１の表面側にかけてシーリング材１２が充填されている。また、スリーブ５の内周側においても電源コードＣとの間隙部分にシーリング材１２が充填されている。これにより、外壁板材１の貫通孔１ａとスリーブ５との間において、壁体４の外部から雨水等の水が浸入するのを未然に且つ確実に防止できるようになっている。
【００３４】
さらに、外壁板材１には、貫通孔１ａを覆うようにカバー１３が配設されることが好ましい。このカバー１３は、下方が開放されたドーム形状をなし、雨水などが貫通孔１ａに浸入するのを防止しつつ、下方の開放部分から電源コードＣを引き出すことが可能となっている。なお、このカバー１３の形状や設置の有無については、本実施形態に限定されることはない。
【００３５】
次に、スリーブ５について、図１および図３（ａ）〜（ｄ）を参照しながら詳細に説明する。具体的にスリーブ５は、図３（ａ）〜（ｄ）に示すように、壁体４の壁厚方向（より詳細には、外壁板材１と側板材３との壁厚方向）となる長手方向の両端部に開口部５ａ，５ｂを有する筒状体からなるスリーブ本体５１を有している。
【００３６】
また、スリーブ５は、例えばスリーブ本体５１の前記壁本体２における側板材３側となる端部に、側板材３に向かって突設され、側板材３の貫通孔３ａを介して当該側板材３の裏面に係止される爪部５２を有している。なお、爪部５２は、スリーブ本体５１の壁本体２側の端部（すなわち開口部５ａ側端部）およびまたは当該開口部５ａ側端部と後述する鍔部５３との間におけるスリーブ本体５１の外周上に設けられ、貫通孔（本実施形態の場合、貫通孔３ａ）が形成された壁本体２のいずれかの板材（本実施形態の場合、側板材３）における壁体４の内部側に、当該貫通孔３ａを介して係止されるものであれば、これに限ることはない。すなわち、爪部５２は、スリーブ５を配設する際に、スリーブ本体５１の壁本体２側を挿通させる板材（例えば、側板材３）に形成された貫通孔（この場合、貫通孔３ａ）の壁体４における内部側となる面に係止するように、当該スリーブ本体５１の外周上およびまたは当該スリーブ本体５１の壁本体２側の端部に設けられていれば良い。
【００３７】
また、爪部５２は、先端部がスリーブ本体５１の外周側に向けて折曲形成されていると共に、スリーブ本体５１の外周側に向けて付勢される弾性を有している。これにより、スリーブ５を側板材３の貫通孔３ａに取り付ける際に、爪部５２の先端部が貫通孔３ａにガイドされながらスリーブ本体５１の内周側に向けて変形し、当該貫通孔３ａを挿通すると、変形していた先端部がスリーブ本体５１の外周側に向けて付勢されて、側板材３の裏面に係止される。このため、スリーブ５を貫通孔３ａに挿入するだけで、簡単に取り付けることが可能となっている。
【００３８】
さらに、スリーブ５は、スリーブ本体５１における防水シート８近傍の位置に設けられ、当該防水シート８側に向けて押圧可能な押圧部である鍔部５３を有している。具体的に、本実施形態の場合、鍔部５３は、スリーブ本体５１の側板材３側の端部に、当該スリーブ本体５１の径方向外方に向けて張り出し、スリーブ本体５１の外径よりも大きく、且つ、外壁板材１の貫通孔１ａの口径以下の外径に設定された環状をなしている。
【００３９】
つまり、スリーブ５の側板材３側に配置される端部には、開口部５ａの縁部に沿って円周上に複数（この場合、３つ）の爪部５２が側板材３側に向けて突設されると共に、この開口部５ａの外周に沿って外方に張り出す環状の鍔部５３が延設されるようにしてスリーブ本体５１と一体的に形成されている。
このとき、かかる爪部５２や鍔部５３は、開口部５ａの内周側にはみ出すことがないように設定されているため、当該開口部５ａの開口領域が阻害されることはなく、この開口領域全てを電源コードＣ等を挿通させるにあたり有効に活用することができるようになっている。
【００４０】
なお、鍔部５３の形状はこれに限ることはなく、図示省略するが、この他、スリーブ本体５１の径方向外方に向けて矩形状に張り出した態様や、当該矩形状の四隅が欠けてなる略十字状の形状に張り出した態様や、本実施形態における鍔部５３よりも壁体４の外部側のスリーブ本体５１を当該鍔部５３の外径と略同一の外径とし、且つ、この鍔部５３を境に壁体４の内部側となるスリーブ本体５１（爪部５２側）を本実施形態の爪部５２側の外径と略同一としてなる言うなれば、鍔部５３をスリーブ本体５１の外周に沿って外方に張り出すのとは逆の内径方向に形成する態様など、各種態様を広く適用できることは言うまでもない。
【００４１】
これらに加えて、スリーブ５は、スリーブ本体５１における開口部５ｂ側の端部外周面に切欠部５１ａ，５１ｂが設けられている。かかる切欠部５１ａ，５１ｂは、スリーブ本体５１の湾曲した外周面に対して略平坦な形状をなしており、スリーブ５が配設される部位（この場合、外壁板材１の貫通孔１ａと側板材３の貫通孔３ａとの間）において、外部に突出（露出）しないように、当該配設される部位の寸法に応じて予め複数設けられるものである。すなわち、本実施形態を例に換言すれば、切欠部５１ａ，５１ｂのうち、切欠部５１ａは、外壁板材１の壁厚方向の寸法に応じて設定されており、現場にて、当該外壁板材１の壁厚方向の寸法を採寸することなく、且つ、のこぎり等の切削道具を用いて切断する際に、切削道具の刃が滑ることなく、安定して切断し易いように略平坦な形状をなして設けられている。なお、切欠部としては、この他にも各種板材の壁厚方向の寸法に応じてそれぞれ設定される切欠部５１ｂや不図示の切欠部を、スリーブ本体５１の外周上に複数設けておいても良い。また、スリーブ本体５１を切断するタイミングも、本実施形態のように、スリーブ５を配設する前であっても良いし、配設した後であっても良い。
【００４２】
図１に戻って、側板材３の表面側に配設された防水シート８と、当該側板材３の貫通孔３ａに取り付けられるスリーブ５の鍔部５３との間には、当該スリーブ５の側板材３側の端部（側板材３側に配置される端部）の開口部５ａと、側板材３の貫通孔３ａとを、防水シート８の貫通孔８ａ（図１１（ａ）参照）を介して連通する孔部１４ａ（図９（ａ）参照）を有し、鍔部５３によって押圧保持される止水材１４が設けられている。これにより、例えば、止水材１４を防水シート８に配設した後、側板材３に貫通孔３ａを設けるようにすれば、防水シート８に対する貫通孔８ａの貫設作業によって、当該防水シート８が必要以上に破れたり、捩れたりすることを未然に回避することもできるようになっている。
【００４３】
なお、この止水材１４の一方の面（防水シート８と当接する側の面）には、接着剤等からなる接着部１５（図７等参照）が設けられていることが望ましい。これにより、止水材１４を防水シート８上に配設する際に、当該接着部１５によって止水材１４を防水シート８上に貼着することができるため、防水シート８に対し簡単に配設することができるようになっている。
また、接着部１５は、その表面（すなわち、防水シート８側の面）に不図示の剥離紙が被覆されてなる粘着ラベルや接着シートであることが好ましい。これにより、止水材１４を後述する治具２０の保持部２２に保持させた（セットした）後、剥離シートを剥がすことによって簡単に接着面を露出させることができる。よって、この状態において止水材１４を防水シート８上に押圧するだけで簡単に貼着することができるため、防水シート８に対する止水材１４の配設を格段と容易にできる利点を備えることが可能となっている。
【００４４】
ところで、本実施形態におけるスリーブ５の配設構造において、当該スリーブ５は、図４（ａ）および（ｂ）に示すように、止水材１４（図１参照）を防水シート８上に配設する際に、当該止水材１４を一時的に係合保持するための着脱自在な治具２０を有している。この治具２０は、スリーブ５の爪部５２が係合される係合部２１と、止水材１４を保持するための保持部２２と、を備えている。ここでは、係合部２１がスリーブ５の爪部５２とほぼ同様の形状からなり、当該爪部５２とは反対の側板材３側からスリーブ５に向けた格好で、爪部５２と係合するような態様をなしている。
【００４５】
そして、図４（ａ）に示すように、スリーブ５の爪部５２に対し、治具２０を挿通させるように矢印Ａ方向に嵌め込み、次いで図４（ｂ）に示すように、当該嵌め込んだ治具２０をスリーブ５に対して矢印Ｂ方向に回転させることで簡単に装着できるようになっている。なお、ここでは図示省略するが、スリーブ５から治具２０を取り外す場合は、上述と反対の作業を行う、つまり、スリーブ５に対し治具２０を矢印Ｂとは反対に回転させ、次いでスリーブ５から治具２０を矢印Ａとは反対方向に取り外す。
【００４６】
このようにして、治具２０は、係合部２１に爪部５２が係合されることによって、当該治具２０をスリーブ５に対して着脱自在に係合させることができると共に、保持部２２によって止水材１４を一時的に保持することができるため、止水材１４の取付作業を一段と簡易に行うことができるようになっている。
【００４７】
次に、本実施形態におけるスリーブ５の配設方法、すなわちスリーブ５を配設するための施工手順について、図５〜図１３を参照しながら説明する。なお、図５〜図１３は、目視的な観点で本実施形態の説明をわかり易くするため、それぞれ（ａ）が断面図、（ｂ）が（ａ）を外方から見た斜視図を示しているが、以下の説明においては内容が重複するため、便宜上それぞれを区別した説明を割愛する。
まず、図５および図６に示すように、壁体４の最外部となる外壁板材１に、穿孔用の切削工具（例えば、電動ドリル等に取り付けて使用するホルソー３０）を用いて、貫通孔１ａを貫通形成する。
【００４８】
ここで、ホルソー３０は、シャンク（図中左側の軸）を電動ドリル等の工具におけるチャックに取り付けて使用する工具であり、この種の作業に使用される一般的な工具である。因みに、ホルソー３０は、円筒状のカッター３１と、前記シャンクと同軸上に設けられるセンタードリル３２とを有しており、カッター３１の端部には円周上に沿って穿孔用の刃部３１ａが設けられている。なお、カッター３１のサイズは、穿孔したい孔の大きさに応じて選定する。
【００４９】
図５に示す如く、外壁板材１において貫通孔１ａを設けようとする所望の位置にセンタードリル３２を当てて、これから穿孔する貫通孔１ａの中心がずれないようにする。そして、カッター３１およびセンタードリル３２を回転させながら矢印Ｘ方向に押し当てて、カッター３１が外壁板材１に当接したら更に押し込み、図６に示すような貫通孔１ａを外壁板材１に貫通形成する。このとき、必要以上にホルソー３０を押し込み過ぎると、防水シート８や、ひいては側板材３にまでカッター３１が到達し、当該カッター３１によって穿孔の影響が与えられてしまう（傷や孔が形成されてしまう）ので、注意が必要である。
【００５０】
次に、図７に示すように、スリーブ５に装着された状態で工場から出荷された治具２０の保持部２２（図４参照）によって止水材１４を保持させる。なお、スリーブ５に対する治具２０の脱着については図４を用いて説明したので、ここでは割愛する。また、治具２０は、予めスリーブ５に装着された状態でスリーブ５とセットで工場から出荷されても良いし、治具２０のみ現場等で共用し、複数のスリーブ５に都度装着して用いるようにしても良い。さらに、治具２０による止水材１４の保持は、治具２０をスリーブ５に装着してから行っても良いし、治具２０をスリーブ５に装着する前に予め保持させておいても良い。
このように、スリーブ５に止水材１４を保持した治具２０を装着した状態（換言すれば、スリーブ５、治具２０および止水材１４を一直線上に並べて連結した状態）で、スリーブ５を矢印Ｘ方向（外壁板材１の貫通孔１ａを挿通する方向）に移動させる。
【００５１】
そして、図８に示すように、治具２０に止水材１４を保持させた状態のスリーブ５を、外壁板材１の貫通孔１ａを挿通させ、防水シート８へ当接させて押圧する。これにより、止水材１４は接着部１５によって、防水シート８上の外壁板材１の貫通孔１ａと対向する位置（換言すれば、側板材３の貫通孔３ａと対応する位置）に貼着される。
【００５２】
次いで、図９に示すように、防水シート８上に止水材１４を取り付けた状態で、スリーブ５を矢印Ｙ方向に移動させ、治具２０を装着したスリーブ５を一度、貫通孔１ａから取り出して治具２０を取り外す。つまり、ここでは、スリーブ５が治具２０を装着することにより、止水材１４を取り付けるための止水材取付治具として機能することとなる。
【００５３】
次に、図１０および図１１に示すように、ドリル４０を前記矢印Ｘ方向に移動させ、当該ドリル４０によって、止水材１４の孔部１４ａを介して防水シート８および側板材３に、外壁板材１の貫通孔１ａに対応する貫通孔８ａ，３ａを穿孔（貫通形成）する。すなわち、ここでは、止水材１４の孔部１４ａを貫通孔８ａ，３ａを穿孔するためのテンプレートとして利用する。これにより、防水シート８に対する貫通孔８ａの貫設作業において、当該防水シート８が必要以上に破れたり、捩れたりすることを未然に回避することができるようになっている。
【００５４】
そして、図１２および図１３に示すように、上述のようにして形成された側板材３の貫通孔３ａに、止水材１４の孔部１４ａおよび防水シート８の貫通孔８ａを介してスリーブ５の爪部５２を挿通させ、当該爪部５２を側板材３の裏面に係止させることにより、鍔部５３によって止水材１４を防水シート８に押圧しながら、スリーブ５を側板材３に装着する（つまり、貫通孔１ａ，３ａ間に配設する）。このとき、スリーブ５を装着する前に、電源コードＣを外壁板材１の外側と側板材３の内側とに亙って配線しておき、外部に露出している電源コードＣにスリーブ５を爪部５２側が側板材３側となるように挿通させながら、側板材３の貫通孔３ａに対して取付けるようにすることが好ましい。
【００５５】
以上、説明したように、本実施形態におけるスリーブ５の配設構造によれば、壁体４の壁厚方向における一部乃至全部を貫通して形成された貫通孔に配設され、当該壁体４の外部から内側または内部に亙って電源コードＣを挿通させるスリーブ５（すなわち、例えば外壁板材１と、この外壁板材１が取り付けられる壁本体２の外側面を構成する側板材３と、を有する壁体４のそれぞれに貫通形成された貫通孔１ａ，３ａ間に配設され、当該壁体４の外部から側板材３の内側に亙って配線Ｃを挿通させるスリーブ５）が、長手方向の両端部に開口部５ａ，５ｂを有する筒状体からなるスリーブ本体５１と、スリーブ本体５１における防水シート８近傍の位置に設けられ、当該防水シート８側に向けて押圧可能な押圧部である鍔部５３と、スリーブ本体５１の開口部５ａ側の端部およびまたは当該開口部５ａ側端部と鍔部５３との間におけるスリーブ本体５１の外周上に設けられ、貫通孔３ａが形成された壁本体２の側板材３における壁体４の内部側に当該貫通孔３ａを介して係止される爪部５２と、を有しており、防水シート８と鍔部５３との間には、一方の側板材３の貫通孔３ａおよび防水シート８の貫通孔８ａに対応し、スリーブ本体５１を挿通可能な孔部１４ａ（換言すれば、防水シート８と鍔部５３との間には、側板材３側の端部の開口部５ａと側板材３の貫通孔３ａとを、防水シート８の貫通孔８ａを介して連通する孔部１４ａ）を有し、鍔部５３によって押圧保持される止水材１４が設けられているので、スリーブ５を貫通孔３ａに挿入するだけで爪部５２が側板材３の裏面に係止されるため、当該スリーブ５を容易に取り付けることができる。
【００５６】
このとき、スリーブ５は、壁本体２に外壁板材１が取り付けられた（換言すれば、壁体４が形成された）後に貫通形成される貫通孔１ａ，３ａ間に配置される。よって、外壁板材１を壁本体２に取り付ける壁体４の形成時に、当該壁体４に対するスリーブ５の位置決め等の段取りを正確に行う必要がない分、従来に比して、スリーブ５の取付作業を格段と容易にすることができる。
【００５７】
また、スリーブ５と側板材３との間には、防水シート８と止水材１４とが介在され、これら防水シート８と止水材１４とがスリーブ５の取り付けに際し、鍔部５３によって押圧保持されるため、外部から浸入する水に対する止水効果を十分に確保することができる。
【００５８】
かくして、外部から浸入する水に対する止水効果を確保したまま、壁体４に対するスリーブ５の取付作業を容易にすることができ、また壁体４の形成後でも当該壁体４に対するスリーブ５の取付位置を自由に設定して後付けすることが可能なスリーブ５の配設構造を実現することができる。
【００５９】
しかも、スリーブ５は、壁体４の形成後に任意に設けた貫通孔１ａ，３ａ間に配設するので、必要に応じて所望する位置にスリーブ５を配設することができる。換言すれば、壁体４の形成時に予めスリーブ５を設ける必要がないので、建物の建築現場において、必要な位置にスリーブ５を配設することができる自由度が増し、これによって、スリーブ５の配設位置の変更も生じる可能性も格段と低減させることができる。仮に、スリーブ５の配設位置を変更するような場合であっても、壁体４（外壁板材１）における所望の位置に貫通孔１ａを貫設すれば良いため、スリーブ５の配設位置を容易に変更することも可能である。
【００６０】
さらに、止水材１４の孔部１４ａは、スリーブ本体５１の側板材３側の端部の開口部５ａと側板材３の貫通孔３ａとを、防水シート８の貫通孔８ａを介して連通するように形成されているので、スリーブ５の開口部５ａをそのまま利用して電源コードＣを挿通させることができる。
【００６１】
また、スリーブ本体５１における防水シート８近傍の位置に設けられ、当該防水シート８側に向けて押圧可能な鍔部５３を、スリーブ本体５１の径方向外方に向けて張り出し、スリーブ本体５１の外径よりも大きく、且つ、外壁板材１の貫通孔１ａの口径以下の外径に設定された環状をなして形成することで、当該鍔部５３と防水シート８との間に介在される止水材１４を全体に亙って確実に押圧することができるため、外部から浸入する水に対する止水効果を十分に確保することができる。
【００６２】
さらに、スリーブ５は、止水材１４を取り付ける際に当該止水材１４を一時的に係合保持するために、着脱自在な治具２０を有しており、当該治具２０は、爪部５２が係合される係合部２１と、止水材１４を保持するための保持部２２と、を備えているので、係合部２１に爪部５２が係合されることによって、スリーブ５に対して着脱自在に係合させることができると共に、保持部２２によって止水材１４を一時的に保持することができるため、止水材１４の取付作業を一段と簡易に行うことができる。
これにより、例えば、止水材１４を防水シート８に配設した後、側板材３に貫通孔３ａを設けるようにすれば、防水シート８に対する貫通孔８ａの貫設作業によって、当該防水シート８が必要以上に破れたり、捩れたりすることを未然に回避することもできる。
【００６３】
しかも、止水材１４は、防水シート８と当接する側に接着部１５が設けられているので、止水材１４を配設する際に当該止水材１４を接着部１５によって防水シート８に貼着することができるため、防水シート８に対し簡単に配設することができる。
【００６４】
さらに、爪部５２は、先端部がスリーブ本体５１の外周側に向けて折曲形成されると共に、スリーブ本体５１の外周側に向けて付勢される弾性を有しているので、スリーブ５を側板材３の貫通孔３ａに取り付ける際に、爪部５２の先端部が貫通孔３ａにガイドされながらスリーブ本体５１の内周側に向けて変形し、当該貫通孔３ａを挿通すると、変形していた先端部がスリーブ本体５１の外周側に向けて付勢されて、側板材３の裏面に係止される。このため、スリーブ５はビス止め等を行わなくても、貫通孔３ａに挿入するだけで、簡単に取り付けることができ、側板材３の貫通孔３ａに対して十分に固定されるようになっている。
【００６５】
さらに、本実施形態におけるスリーブ５の配設方法によれば、壁体４の外壁板材１に貫通孔１ａを貫通形成し、壁体４の側板材３の表面側に配設された防水シート８における外壁板材１の貫通孔１ａと対向する位置に、当該外壁板材１の貫通孔１ａを介して止水材１４を配設する。次いで、当該配設した止水材１４の孔部１４ａに対応する貫通孔８ａ，３ａを防水シート８および側板材３に順次貫通形成する。すなわち、止水材１４を防水シート８に配設した後、側板材３に貫通孔３ａを設けるようにしたので、防水シート８に対する貫通孔８ａの貫設作業によって、当該防水シート８が必要以上に破れたり、捩れたりすることを未然に回避することができる。
【００６６】
また、止水材１４の孔部１４ａを介して側板材３の貫通孔３ａにスリーブ５の爪部５２を挿通させ、当該爪部５２を側板材３の裏面に係止させることにより、鍔部５３によって止水材１４を押圧保持しながらスリーブ５を装着する。これにより、スリーブ５を貫通孔３ａに挿入するだけで爪部５２が側板材３の裏面に係止されるため、当該スリーブ５を容易に取り付けることができる。
このとき、スリーブ５は、壁本体２に外壁板材１が取り付けられた（換言すれば、壁体４が形成された）後に貫通形成される貫通孔１ａ，３ａ間に配置される。よって、外壁板材１を壁本体２に取り付ける壁体４の形成時に、当該壁体４に対するスリーブ５の位置決め等の段取りを正確に行う必要がない分、従来に比して、スリーブ５の取付作業を格段と容易にすることができる。
【００６７】
さらに、スリーブ５と側板材３との間には、防水シート８と止水材１４とが介在され、これら防水シート８と止水材１４とがスリーブ５の取り付けに際し、鍔部５３によって押圧保持されるため、外部から浸入する水に対する止水効果を十分に確保することができる。
【００６８】
かくして、外部から浸入する水に対する止水効果を確保したまま、壁体４に対するスリーブ５の取付作業を容易にすることができ、また壁体４の形成後でも当該壁体４に対するスリーブ５の取付位置を自由に設定して後付けすることが可能なスリーブ５の配設方法を実現することができる。
【００６９】
しかも、スリーブ５は、壁体４の形成後に任意に設けた貫通孔１ａ，３ａ間に配設するので、必要に応じて所望する位置にスリーブ５を配設することができる。換言すれば、壁体４の形成時に予めスリーブ５を設ける必要がないので、建物の建築現場において、必要な位置にスリーブ５を配設することができる自由度が増し、これによって、スリーブ５の配設位置の変更も生じる可能性も格段と低減させることができる。仮に、スリーブ５の配設位置を変更するような場合であっても、壁体４（外壁板材１）における所望の位置に貫通孔１ａを貫設すれば良いため、スリーブ５の配設位置を容易に変更することも可能である。
【００７０】
さらに、側板材３の貫通孔３ａは、止水材１４の孔部１４ａおよび防水シート８の貫通孔８ａを介してスリーブ本体５１の側板材３側の端部の開口部５ａと連通するように形成されるので、スリーブ５の開口部５ａをそのまま利用して電源コードＣを挿通させることができる。
【００７１】
また、スリーブ５の爪部５２が係合される係合部２１と、止水材１４を保持するための保持部２２と、を備え、止水材１４を貫通孔１ａ，３ａ間に配設する際に当該止水材１４を一時的に係合保持するための着脱自在な治具２０をスリーブ５に装着し、当該治具２０の保持部２２によって止水材１４を保持した状態で、外壁板材１の貫通孔１ａを介して防水シート８における当該外壁板材１の貫通孔１ａと対向する位置に当該止水材１４を配置する。そして、当該位置において、止水材１４の防水シート８と当接する側に設けられた接着部１５を介して当該止水材１４を防水シート８に貼着して配設した後、スリーブ５を貫通孔１ａから取り出して治具２０を取り外す。このため、係合部２１に爪部５２が係合されることによって、治具２０をスリーブ５に対して着脱自在に係合させることができ、保持部２２によって止水材１４を一時的に保持することができるため、止水材１４の取付作業を一段と簡易に行うことができる。
【００７２】
このとき、止水材１４は、防水シート８と当接する側に接着部１５が設けられているので、止水材１４を配設する際に当該止水材１４を接着部１５によって防水シート８上に貼着することができるため、防水シート８に対し簡単に配設することができる。
【００７３】
なお、本発明は、上述した実施形態に限定されることなく、本発明の趣旨を逸脱しない範囲において、適宜、種々の改良および設計の変更が可能である。
【００７４】
例えば、上述の実施形態では、外壁板材１および一方の側板材３にそれぞれ設けられた貫通孔１ａ，３ａ間にスリーブ５を配設し、電源コードＣを壁体４の外部から内側に亙って（換言すれば、壁体４の外部から壁本体２の両側板材３，６の間を通すように）配線する場合について述べたが、一例であってこれに限られることはなく、外壁板材１および一方の側板材３の貫通孔１ａ，３ａに加えて、他方の側板材６や内壁７に至るまで貫通孔を形成し、外壁板材１から内壁７に至るまでスリーブ５を配設するようにしても良い。
【００７５】
具体的には、図１との対応部分に同一符号を付した図１４に示すように、少なくとも一対の板材を有し、これら一対の板材を側板材３，６として両側面に配設してなる壁本体２と、側板材３，６のうち壁本体２の外側面に配置された一方の側板材３に取り付けられる外壁板材１と、を有する壁体４の壁厚方向における全部を（すなわち、外壁板材１から内壁７に至るまで）貫通して形成された貫通孔１ａ，３ａ，６ａ，７ａ間にスリーブ５を配設し、当該スリーブ５を介して、壁体４の外部から内部（換言すれば、外壁板材１の外部から内壁７の内面側となる建物内部）に亙って電源コードＣを挿通させるようにしても良い。
【００７６】
この場合、スリーブ５は、スリーブ本体５１の開口部５ａ側端部およびまたは当該端部と鍔部５３との間におけるスリーブ本体５１の外周上であって、貫通孔３ａ，６ａ，７ａが形成された壁本体２のいずれかの板材である側板材３，６における壁体４の内部側およびまたは当該壁本体２の内側面である内壁７の表面に、当該貫通孔３ａ，６ａ，７ａを介して係止可能な位置（ここでは、内壁７の表面側と係止可能な開口部５ａ側端部と、スリーブ５の外周上の側板材３の裏面側と係止可能な位置）に爪部５２ａ，５２ｂが形成されている。
【００７７】
これにより、スリーブ５のスリーブ本体５１を壁本体２の壁厚方向全体を貫通するように延在して配設するような場合においても、爪部５２ａ、５２ｂを適宜設けることで、当該爪部５２ａ，５２ｂによって側板材３の裏面側および内壁７の表面側と係止されるため、壁体４における所望の位置（例えば、外壁板材１、側板材３，６および内壁７）に貫通孔１ａ，３ａ，６ａ，７ａさえ設ければ、当該形成した貫通孔１ａ，３ａ，６ａ，７ａにスリーブ５を挿通させるだけで、爪部５２ａ，５２ｂによってスリーブ５を壁本体２に確実に固定することができ、当該スリーブ５を貫通孔１ａ，３ａ，６ａ，７ａ間に容易に配設することができる。よって、このように配設したスリーブ５を介して、電源コードＣを壁体４の外部（外壁板材１の外部）から内部（内壁７のない面側となる建物内部）に亙って簡単に配線することができる。
【００７８】
このとき、壁本体２において一方の側板材３表面に配設される防水シート８と、スリーブ５の鍔部５３との間には、当該防水シート８の貫通孔８ａおよび側板材３の貫通孔３ａに対応し、スリーブ本体５１を挿通可能な孔部１４ａを有する止水材１４が介在されており、防水シート８の貫通孔８ａおよび側板材３の貫通孔３ａは、止水材１４を配設した後、当該止水材１４をテンプレートとして利用して穿設されることが望ましい。これにより、止水材１４を防水シート８上に配設した後、防水シート８の貫通孔８ａおよび側板材３の貫通孔３ａを設けることで、防水シート８に対する貫通孔８ａの貫設作業によって、当該防水シート８が必要以上に破れたり、捩れたりすることを未然に回避することができる。
【００７９】
また、上述した各実施形態では、壁本体２が一対の板材を側板材３，６として両側面に配設してなる場合について述べたが、本発明はこれに限らず、壁本体２としては、この他、側板材３，６以外にも例えば、側板材３，６間に複数の板材を順次壁厚方向に対向して積層配置してなる構成としてもよい。この場合、スリーブ５の爪部は、上述した開口部５ａ端部に限らず、スリーブ本体５１の外周であって、貫通孔が形成される板材の壁体４における内部側（すなわち、内壁７側）となる面に対し、当該貫通孔を介して係止可能な位置に設けられていれば良い。また、爪部の設置数についても貫通孔が複数形成された場合においては、少なくともいずれかの貫通孔を介して係止可能であれば良いため、少なくとも１つの板材の貫通孔に対して設けられていれば良い。但し、複数の板材の貫通孔に対して各々爪部を設けることで、その分、スリーブ５の固定をより強固にすることができる利点を有している。
【００８０】
また、上述した実施形態では、スリーブ５の側板材３側の端部の開口部５ａに、当該開口部５ａの縁部に沿って円周上に３つの爪部５２を側板材３側に向けて突設するようにした場合について述べたが、一例であってこれに限ることはなく、当該スリーブ５を側板材３の貫通孔３ａに止水材１４を押圧しながら取り付け可能であれば、爪部５２の数は、適宜、自由に選定することができる。
【００８１】
また、上述した実施形態では、治具２０の係合部２１がスリーブ５の爪部５２とほぼ同様の形状からなり、当該爪部５２とは反対の側板材３側からスリーブ５に向けた格好で、爪部５２と係合するような態様をなす場合について述べたが、一例であってこれに限ることはない。すなわち、治具２０の係合部２１は、スリーブ５の爪部５２と係合可能であって、当該スリーブ５に対し着脱自在に係合するものであれば、この他、種々の態様を広く適用することができる。
【００８２】
さらに、スリーブ５の鍔部５２は、スリーブ本体５１と一体に成形されても、別体で形成した後、一体的に成形するようにしても良い。
【符号の説明】
【００８３】
１…外壁板材
２…壁本体
３，６…側板材（板材）
１ａ，３ａ，６ａ，７ａ，８ａ…貫通孔
４…壁体
５…スリーブ
５ａ，５ｂ…開口部
５１…スリーブ本体
５２，５２ａ，５２ｂ…爪部
５３…鍔部（押圧部）
７…内壁
８…防水シート（防水層）
１４…止水材
１４ａ…孔部
１５…接着部
２０…治具
２１…係合部
２２…保持部
Ｃ…電源コード（配線）
【図１】
2014077314.tif 000003
【図２】
2014077314.tif 000004
【図３】
2014077314.tif 000005
【図４】
2014077314.tif 000006
【図５】
2014077314.tif 000007
【図６】
2014077314.tif 000008
【図７】
2014077314.tif 000009
【図８】
2014077314.tif 000010
【図９】
2014077314.tif 000011
【図１０】
2014077314.tif 000012
【図１１】
2014077314.tif 000013
【図１２】
2014077314.tif 000014
【図１３】
2014077314.tif 000015
【図１４】
2014077314.tif 000016